(57)【要約】【課題】小型軽量化に有利で、低挿入力化が実現できるレバー式コネクタを提供する。【解決手段】第１ハウジング１３に係合するレバー１７を回動自在に第２ハウジング１５に装着し、第１ハウジング１３と第２ハウジング１５を挿入嵌合するときにレバー１７を回動することでてこの作用により挿入力を低減するレバー式コネクタ１１であって、レバー１７は、一対の側壁２９の一端部同士を操作部３１で連結してなり、側壁２９には第１ハウジング１３の嵌合開口部５１に向かって突出する係止アーム５３が設けられ、第１ハウジング１３にはレバー１７の回動時にレバー１７を弾性変形させて係止アーム５３が乗り上げる仮係止解除部が設けられ、仮係止解除部にはレバー１７の回動が挿入力の軽減操作に移行した時にレバー１７が弾性復帰する方向に係止アーム５３を滑落させる傾斜面が形成される。【選択図】図１
2012038498.tif 000002
【特許請求の範囲】
【請求項１】
第１ハウジングに係合するレバーを回動自在に第２ハウジングに装着し、第１ハウジングと第２ハウジングを挿入嵌合するときにレバーを回動することでてこの作用により挿入力を低減するレバー式コネクタであって、
前記レバーは、一対の側壁の一端部同士を操作部で連結してなり、
前記側壁には前記第１ハウジングの嵌合開口部に向かって突出する係止アームが設けられ、
前記第１ハウジングには前記レバーの回動時に前記レバーを弾性変形させて前記係止アームが乗り上げる仮係止解除部が設けられ、
前記仮係止解除部には前記レバーの回動が挿入力の軽減操作に移行した時に前記レバーが弾性復帰する方向に前記係止アームを滑落させる傾斜面が形成されていることを特徴とするレバー式コネクタ。
【請求項２】
前記第２ハウジングには前記レバーの回動を阻止して該レバーを仮係止位置に保持する仮係止突起が設けられ、
前記係止アームが、前記仮係止突起に係止して前記レバーが仮係止されることを特徴とする請求項１に記載のレバー式コネクタ。
【請求項３】
前記レバーの一対の側壁が離反する方向に、前記係止アームが前記仮係止解除部に乗り上げることを特徴とする請求項１又は請求項２に記載のレバー式コネクタ。
【発明の詳細な説明】
【技術分野】
【０００１】
本発明は、一対の雌、雄コネクタの嵌合を操作レバーを利用して低挿入力で行うレバー式コネクタに関する。
【背景技術】
【０００２】
例えばレバー式コネクタとして特許文献１に開示のものは、図８に示すように、雄ハウジング５０１と、この雄ハウジング５０１に回動自在なレバー５０３と、このレバー５０３を雄ハウジング５０１に接続するための接続部５０５と、雄ハウジング５０１が収容、嵌合される雌ハウジング５０７とを備え、接続部５０５が、雄ハウジング５０１に設けられた突起部５０９と、レバー５０３に設けられて突起部５０９に係合し、かつ突起部５０９に対してレバー５０３の一側に向けて長く形成された係合穴５１１とからなり、レバー５０３を、平常状態で雌雄のハウジング５０７，５０１の嵌合状態での嵌合位置に対して他側に変位可能としている。
【０００３】
このレバー式コネクタ５００では、平常状態で雌雄のハウジングの嵌合位置に対してレバー５０３が他側に変位するので、レバー５０３のてこ作用と、係合穴５１１の内周面に押圧されて突起部５０９にかかった力の上下方向の分力により雄ハウジング５０１が直接下方に押圧される。したがって、従来のレバー式コネクタにおいて上下方向に交差する方向の分力の分だけ雄ハウジング５０１を直接下方に押圧する力にロスが生じたことを解決できた。
【先行技術文献】
【特許文献】
【０００４】
【特許文献１】特開２００２−３５９０２８号公報
【特許文献２】特開平５−３０５９号公報
【発明の概要】
【発明が解決しようとする課題】
【０００５】
上記従来のレバー式コネクタは、直接下方に押圧する力にロスの生じることを解決し、雌雄のハウジングの嵌合作業の作業性を向上させているが、この種のレバー式コネクタは今日においても小型軽量化が求められる中、さらなる低挿入力化の要請が高い。
【０００６】
上記従来例以外にも低挿入力化を実現しようとするものの一つに特許文献２に開示のレバー式コネクタがある。図９に示すように、このレバー式コネクタ５２０は、雌コネクタ５２１に回動可能に軸支されるレバー部材５２３と、バネロック部５２５、ロック解除部５２７、及び弾性係合部５２９を有していてレバー部材５２３に沿って組み付けられるとともにレバー部材５２３をロック解除方向に付勢する弾性ロック部材５３１と、からなる。両コネクタの初期嵌合時においてカム溝５３３とカムピン５３５とが係合し、レバー部材５２３の回動による両コネクタの後期嵌合時においてバネロック部５２５が雌コネクタ５２１のロック部５３７に係合し、両コネクタの中期嵌合時において弾性ロック部材５３１における弾性係合部５２９が山形のバネガイド５３９を乗り越えることにより、この際の弾性係合部５２９の復元力を利用して嵌合荷重を軽減している。
【０００７】
しかしながら、弾性係合部５２９の復元力を利用するためには、別体の弾性ロック部材５３１をレバー部材５２３に装着しなければならず、小型軽量化に不利となった。
【０００８】
そこで、本発明の目的は、上記課題を解消することに係り、小型軽量化に有利で、低挿入力化が実現できるレバー式コネクタを提供することにある。
【課題を解決するための手段】
【０００９】
本発明に係る上記目的は、下記構成により達成される。
（１）  第１ハウジングに係合するレバーを回動自在に第２ハウジングに装着し、第１ハウジングと第２ハウジングを挿入嵌合するときにレバーを回動することでてこの作用により挿入力を低減するレバー式コネクタであって、前記レバーは、一対の側壁の一端部同士を操作部で連結してなり、前記側壁には前記第１ハウジングの嵌合開口部に向かって突出する係止アームが設けられ、前記第１ハウジングには前記レバーの回動時に前記レバーを弾性変形させて前記係止アームが乗り上げる仮係止解除部が設けられ、前記仮係止解除部には前記レバーの回動が挿入力の軽減操作に移行した時に前記レバーが弾性復帰する方向に前記係止アームを滑落させる傾斜面が形成されていることを特徴とするレバー式コネクタ。
【００１０】
（２）  前記第２ハウジングには前記レバーの回動を阻止して該レバーを仮係止位置に保持する仮係止突起が設けられ、前記係止アームが、前記仮係止突起に係止して前記レバーが仮係止されることを特徴とする上記（１）に記載のレバー式コネクタ。
【００１１】
（３）  前記レバーの一対の側壁が離反する方向に、前記係止アームが前記仮係止解除部に乗り上げることを特徴とする上記（１）又は（２）に記載のレバー式コネクタ。
【００１２】
上記（１）のレバー式コネクタによれば、第１ハウジングと第２ハウジングが嵌合開始されると、第２ハウジングに装着されたレバーの係止アームが、第１ハウジングの仮係止解除部に当接する。レバーが操作方向に回転されると、係止アームが仮係止解除部に乗り上げ、その乗り上げによる変位分レバーが弾性変形する。さらにレバーが操作方向に回転すると、乗り上げた係止アームが仮係止解除部の傾斜面に達し、レバーの弾性復元力によって傾斜面を滑り落ちる。この際の分力がレバーを押し込み方向に付勢する。
【００１３】
上記（２）のレバー式コネクタによれば、嵌合開始された第２ハウジングのレバーが回転されると、レバーの係止アームが仮係止解除部に乗り上げる。その際の係止アームの変位により、係止アームは、仮係止突起との係止を解除する。つまり、レバーを仮係止・仮係止解除する仮係止構造を有効利用して、レバーの押し込み付勢力が得られる。
【００１４】
上記（３）のレバー式コネクタによれば、レバーの押し込み付勢力を発生させるためのレバーの弾性変形が一つの側壁を離間させる方向の変形となり、変形と同時に、仮係止突起に対する係止アームの係止解除が可能となる。
【発明の効果】
【００１５】
本発明に係るレバー式コネクタによれば、レバーに係止アームを設け、第１ハウジングに仮係止解除部を設けることで、係止アームが仮係止解除部を乗り越えるときにレバーが弾性変形し、その弾性復元力をレバーの押し込み方向の推進力に寄与させることができる。この結果、小型軽量化に有利で、低挿入力化が実現するレバー式コネクタを得ることができる。
【図面の簡単な説明】
【００１６】
【図１】本発明に係るレバー式コネクタの分解斜視図である。
【図２】レバーを装着した雌コネクタの平面図である。
【図３】雄コネクタの嵌合開口部を見た正面図である。
【図４】図３のＡ−Ａ断面図である。
【図５】レバー式コネクタの嵌合過程を（ａ）〜（ｄ）で示した動作説明図である。
【図６】図２のＢ−Ｂ矢視の部位における嵌合過程を（ａ）〜（ｃ）で示した動作説明図である。
【図７】図２のＣ−Ｃ矢視の部位における嵌合過程を（ａ）（ｂ）で示した動作説明図である。
【図８】従来のレバー式コネクタの嵌合前斜視図である。
【図９】従来の他のレバー式コネクタの分解斜視図である。
【発明を実施するための形態】
【００１７】
以下、本発明の実施形態を図面を参照して説明する。
図１は本発明に係るレバー式コネクタの分解斜視図、図２はレバーを装着した雌コネクタの平面図、図３は雄コネクタの嵌合開口部を見た正面図、図４は図３のＡ−Ａ断面図である。
【００１８】
レバー式コネクタ１１は、第１ハウジングである雄ハウジング１３と、この雄ハウジング１３に収容されて嵌合される第２ハウジングである雌ハウジング１５と、この雌ハウジング１５に装着されて回動自在なレバー１７と、このレバー１７を雌ハウジング１５に接続するための接続部１９とを備えている。なお、本実施形態では第１ハウジングが雄ハウジング１３、第２ハウジングが雌ハウジング１５であるが、レバー式コネクタ１１は、第１ハウジングが雌ハウジング１５、第２ハウジングが雄ハウジング１３であってもよい。
【００１９】
レバー式コネクタ１１は、雄ハウジング１３に係合するレバー１７を回動自在に雌ハウジング１５に装着し、雄ハウジング１３と雌ハウジング１５を挿入嵌合するときにレバー１７を回動することでてこの作用により挿入力を低減する。
【００２０】
雌ハウジング１５は、雌端子がそれぞれ収容されている複数の端子収容室２１を有している。この雌ハウジング１５の大面積側の両側面２３には、それぞれに一対の突起部２５が突設される。また、両側面２３の長手方向の一側には上下方向に沿って両側面２３から突出する案内リブ２７が形成されている。
【００２１】
レバー１７は、雌ハウジング１５の両側面２３を挟んで相互に対向配置されている一対の側壁２９と、これらの側壁２９を長手方向の一端側を相互に連結している操作部３１とを備えている。側壁２９は、雌ハウジング１５の一対の突起部２５に係合する一対の係合穴３３が設けられている。この側壁２９は、係合穴３３を挟み操作部３１の反対側に係合突起３５が突設されている。この係合突起３５は、雄ハウジング１３の内部に形成した係止段部３７に係止する。
【００２２】
上述した接続部１９は、雌ハウジング１５に設けられた突起部２５と、レバー１７に設けられた係合穴３３とからなる。接続部１９は、図２に示すように、突起部２５と係合穴３３とがそれぞれ係合して雌ハウジング１５にレバー１７のそれぞれの側壁２９を接続し、突起部２５を軸にレバー１７を回動させるようになっている。
【００２３】
雄ハウジング１３は、雌ハウジング１５が嵌合されるフード部３９を有している。このフード部３９は、レバー１７の係合突起３５に対応した内周面に上下方向に沿って係合溝４１が設けられている。このフード部３９の係合溝４１は、レバー１７の回動時に係合突起３５が係合してこれらの係合突起３５とともに支点となる上述の係止段部３７を有している。また、フード部３９の内周面には、雌ハウジング１５の案内リブ２７に対応した位置にこれらの案内リブ２７が挿入される案内溝４５を有している。図３に示すように、フード部３９は、雌ハウジング１５の端子に接続される複数の相手端子４７が底面４９から突設されている。
【００２４】
ところで、図２に示すように、レバー１７の側壁２９には雄ハウジング１３の嵌合開口部５１に向かって突出する係止アーム５３が設けられている。係止アーム５３は、短冊片部５５と、この短冊片部５５の一側部５７から突出する突片部５９と、からなる。雌ハウジング１５にはレバー１７の回動を阻止してレバー１７を仮係止位置に保持する仮係止突起６１が設けられる。図２に示すように、係止アーム５３は、短冊片部５５を仮係止突起６１に係止してレバー１７を仮係止する。
【００２５】
図４に示すように、雄ハウジング１３のフード部内には、レバー１７の回動時にレバー１７を弾性変形させて係止アーム５３が乗り上げる一対の仮係止解除部６３が設けられる。仮係止解除部６３には、レバー１７の回動が挿入力の軽減操作に移行した時に、レバー１７が弾性復帰する方向に係止アーム５３を滑落させる傾斜面６５が形成されている。仮係止解除部６３とフード部３９の間には係止アーム５３が進入する間隙部６７が形成される。したがって、レバー１７は、係止アーム５３が仮係止解除部６３に乗り上げると、一対の側壁２９が離反する方向に弾性変形する。
【００２６】
次に、上記の構成を有したレバー式コネクタ１１の作用を説明する。
図５はレバー式コネクタ１１の嵌合過程を（ａ）〜（ｄ）で示した動作説明図、図６は図２のＢ−Ｂ矢視の部位における嵌合過程を（ａ）〜（ｃ）で示した動作説明図、図７は図２のＣ−Ｃ矢視の部位における嵌合過程を（ａ）（ｂ）で示した動作説明図である。
【００２７】
レバー式コネクタ１１では、図５（ａ）に示すように、レバー１７を装着した状態の雌ハウジング１５が雄ハウジング１３に嵌合される。この際、レバー１７は、係止アーム５３が図６（ａ）に示すように、仮係止突起６１に当接してそれ以上の回転が阻止されている。
【００２８】
雌ハウジング１５と雄ハウジング１３とを嵌合させるとき、図５（ｂ）に示すように、レバー１７の係合突起３５（図２参照）を雄ハウジング１３の係合溝４１（図１参照）の係止段部３７に係合させて支点とし、図５（ｃ）に示すように、レバー１７の操作部３１を雌ハウジング１５と雄ハウジング１３との嵌合方向に押圧して回動させる。このとき、雌ハウジング１５は、回動したレバー１７のてこ作用と、操作部３１を押圧する押圧力により突起部２５に力がかかって直接押圧されることとにより全体として嵌合方向に移動する。この結果、雌ハウジング１５は、図５（ｄ）に示すように、雄ハウジング１３のフード部３９内に嵌合される。この状態で雌ハウジング１５とともにレバー１７が雄ハウジング１３のフード部３９内に収容される。
【００２９】
ところで、図５（ｂ）に示したように、雄ハウジング１３と雌ハウジング１５が嵌合開始されると、雌ハウジング１５に装着されたレバー１７の係止アーム５３が、雄ハウジング１３の仮係止解除部６３に当接する。係止アーム５３は、図６（ａ）に示すように、短冊片部５５の先端が仮係止突起６１に当接しているが、その短冊片部５５の一側部５７から突出した突片部５９が仮係止解除部６３に当接する。
【００３０】
レバー１７が操作方向に回転されると、図７（ａ）に破線で示すように係止アーム５３が仮係止解除部６３に乗り上げ、その乗り上げによる変位分レバーが弾性変形する。係止アーム５３は、突片部５９が仮係止解除部６３に乗り上げる際の変位により、図６（ｂ）に示すように、短冊片部５５と仮係止突起６１との係止を解除する。つまり、レバー１７を仮係止・仮係止解除する仮係止構造を有効利用して、レバー１７の押し込み付勢力が得られるように構成されている。また、本実施形態では、レバー１７の押し込み付勢力を発生させるためのレバー１７の弾性変形が、一対の側壁２９を離間させる方向の変形となっている。これにより、変形と同時に、仮係止突起６１に対する係止アーム５３の係止解除が可能となっている。
【００３１】
図５（ｃ）に示すように、さらにレバー１７が操作方向に回転すると、乗り上げた係止アーム５３が仮係止解除部６３の傾斜面６５に達し、図７（ｂ）に示すように、レバー１７の弾性復元力によって傾斜面６５を滑り落ちる。この際、同時に短冊片部５５も図６（ｃ）に示すように、仮係止突起６１の乗り越えが完了する。このように、係止アーム５３は、拡開したレバー１７の一対の側壁２９の復元力にて傾斜面６５に押し付けられる。この押し付け力は、係止アーム５３が受ける傾斜面６５からの垂直方向の反力と、傾斜面６５に沿う滑り方向の分力とに分解される。この際の分力がレバー１７を押し込み方向に付勢するアシスト力Ｆとなる。
【００３２】
したがって、本実施形態に係るレバー式コネクタ１１によれば、レバー１７に係止アーム５３を設け、第１ハウジングに仮係止解除部６３を設けることで、係止アーム５３が仮係止解除部６３を乗り越えるときにレバー１７が弾性変形し、その弾性復元力をレバー１７の押し込み方向の推進力に寄与させることができる。この結果、小型軽量化に有利で、低挿入力化が実現するレバー式コネクタ１１を得ることができる。
【００３３】
なお、本発明のレバー式コネクタは、上述した実施形態に限定されるものではなく、適宜な変形、改良、等が可能である。また、本発明のレバー式コネクタの材質、形状、寸法等は、本発明の目的を達成できるものであれば、任意であり、前述した各実施形態に限定されない。
【符号の説明】
【００３４】
１１  レバー式コネクタ
１３  雄ハウジング（第１ハウジング）
１５  雌ハウジング（第２ハウジング）
１７  レバー
２９  側壁
３１  操作部
５１  嵌合開口部
５３  係止アーム
６１  仮係止突起
６３  仮係止解除部
６５  傾斜面
【図１】
2012038498.tif 000003
【図２】
2012038498.tif 000004
【図３】
2012038498.tif 000005
【図４】
2012038498.tif 000006
【図５】
2012038498.tif 000007
【図６】
2012038498.tif 000008
【図７】
2012038498.tif 000009
【図８】
2012038498.tif 000010
【図９】
2012038498.tif 000011